【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
ビデオコード化のための方法であって、
コード化単位（ＣＵ）ブロックと参照フレーム中の第１の対応するブロックとの間の第１の絶対差分和（ＳＡＤ）値を計算することと、
前記第１のＳＡＤ値に少なくとも部分的に基づいて、ＣＵサイズの分岐のための分岐条件を定義することと、ここにおいて、前記分岐条件の第１の分岐条件が、バックグラウンド条件と同種条件との両方を備える、
前記ＣＵブロックの前記第１のＳＡＤ値が第１の閾値バックグラウンド値よりも小さいことに応答して、前記バックグラウンド条件を検出することと、
前記ＣＵブロックのサブブロックの第２のＳＡＤ値が、上側同種閾値と下側同種閾値との間にあることに応答して、前記同種条件を検出することと、前記上側同種閾値と前記下側同種閾値とが、前記ＣＵブロックの前記第１のＳＡＤ値に少なくとも部分的に基づき、前記第１のＳＡＤ値が、第１のサイズを有する第１のブロックに関連し、前記第２のＳＡＤ値が、前記第１のサイズよりも小さい第２のサイズを有する第２のブロックに関連する、
前記バックグラウンド条件又は前記同種条件の前記検出に基づいて、前記ＣＵサイズの前記分岐を決定することと、ここにおいて、前記バックグラウンド条件又は前記同種条件のいずれかが満たされる場合、前記第１の分岐条件が満たされる、
を備える、方法。
【請求項２】
前記上側同種閾値がＣu＊（第１のＳＡＤ値）／４に等しく、ここにおいて、Ｃdが１よりも大きい、
前記下側同種閾値がＣd＊（第１のＳＡＤ値）／４に等しい、ここにおいて、Ｃdが１よりも小さい、
請求項１に記載の方法。
【請求項３】
ＣＵサイズの前記分岐のための前記分岐条件を定義することは、
（ｉ）前記サブブロックの前記第２のＳＡＤ値が第２の閾値バックグラウンド値よりも小さいこと、又は（ｉｉ）前記サブブロックの前記第２のＳＡＤ値が、前記第１のＳＡＤ値に少なくとも部分的に基づく上側同種閾値と下側同種閾値との間にあること
の満足を備えるように、第２の分岐のための前記分岐条件を定義することと、
前記第１の分岐及び前記第２の分岐のための前記分岐条件の不満足を備えるように、第３の分岐のための前記分岐条件を定義することと
を更に備える、請求項１に記載の方法。
【請求項４】
ＣＵサイズの前記分岐のための前記分岐条件を定義することは、
（ｉ）前記サブブロックの前記第２のＳＡＤ値が第２の閾値バックグラウンド値よりも小さいこと、又は（ｉｉ）前記サブブロックのサブサブブロックの前記第３のＳＡＤ値が、前記第２のＳＡＤ値に少なくとも部分的に基づく上側同種閾値と下側同種閾値との間にあること
の満足を備えるように、第２の分岐のための前記分岐条件を定義することと、
前記第１の分岐及び前記第２の分岐のための前記分岐条件の不満足を備えるように、第３の分岐のための前記分岐条件を定義することと
を更に備える、請求項１に記載の方法。
【請求項５】
ＣＵサイズの前記分岐のための前記分岐条件を定義することが、
前記第１の分岐のための前記分岐条件の不満足を備えるように、第２の分岐のための前記分岐条件を定義することを更に備え、および／または、
前記ＣＵサイズの前記分岐に従って前記ＣＵサイズのサブセットを検査することに基づいて、最大コード化単位（ＬＣＵ）のための動的モード決定（ＤＭＤ）分岐を実施することを更に備え、好ましくは、
（ｉ）コード化ツリー単位（ＣＴＵ）のためのコード化モードを選択すること、又は（ｉｉ）前記ＬＣＵのための前記ＤＭＤ分岐に少なくとも部分的に基づいて動き推定を実施することを更に備える、請求項１に記載の方法。
【請求項６】
前記ＬＣＵのための前記ＤＭＤ分岐に従ってビデオデータのブロックベース処理を実施することに基づいて前記ビデオデータを符号化することを更に備え、前記ブロックベース処理が、
前記ＬＣＵのための前記ＤＭＤ分岐に基づいて予測ブロックを決定することと、
前記ビデオデータの元の画素から前記予測ブロックを減算することに基づいて残差を計算することと、
計算された前記残差を係数に順変換することと、
前記係数を量子化し、エントロピー符号化することと
を備える、請求項５に記載の方法。
【請求項７】
前記ＬＣＵのための前記ＤＭＤ分岐に従ってビデオデータのブロックベース処理を実施することに基づいて前記ビデオデータを復号することを更に備え、前記ブロックベース処理が、
前記受信された係数をエントロピー復号し、逆量子化することと、
前記エントロピー復号され、逆量子化された係数を逆変換することに基づいて残差を計算することと、
前記ＬＣＵのための前記ＤＭＤ分岐に基づいて予測ブロックを決定することと、
前記予測ブロックに前記計算された残差を加算することに基づいて、再構成された画素を形成することと
を備える、請求項５に記載の方法。
【請求項８】
ビデオコード化のための装置であって、
コード化単位（ＣＵ）ブロックと参照フレーム中の第１の対応するブロックとの間の第１の絶対差分和（ＳＡＤ）値を計算するための手段と、
前記第１のＳＡＤ値に少なくとも部分的に基づいて、ＣＵサイズの分岐のための分岐条件を定義するための手段と、ここにおいて、前記分岐条件の第１の分岐条件が、バックグラウンド条件と同種条件との両方を備える、
前記ＣＵブロックの前記第１のＳＡＤ値が第１の閾値バックグラウンド値よりも小さいことに応答して、前記バックグラウンド条件を検出するための手段と、
前記ＣＵブロックのサブブロックの第２のＳＡＤ値が、上側同種閾値と下側同種閾値との間にあることに応答して、前記同種条件を検出するための手段と、前記上側同種閾値と前記下側同種閾値とが、前記ＣＵブロックの前記第１のＳＡＤ値に少なくとも部分的に基づき、前記第１のＳＡＤ値が、第１のサイズを有する第１のブロックに関連し、前記第２のＳＡＤ値が、前記第１のサイズよりも小さい第２のサイズを有する第２のブロックに関連する、
前記バックグラウンド条件又は前記同種条件の前記検出に基づいて、前記ＣＵサイズの前記分岐を決定するための手段と、ここにおいて、前記バックグラウンド条件又は前記同種条件のいずれかが満たされる場合、前記第１の分岐条件が満たされる、
を備える、装置。
【請求項９】
前記上側同種閾値がＣu＊（第１のＳＡＤ値）／４に等しく、ここにおいて、Ｃdが１よりも大きい、
前記下側同種閾値がＣd＊（第１のＳＡＤ値）／４に等しい、ここにおいて、Ｃdが１よりも小さい、
請求項８に記載の装置。
【請求項１０】
ＣＵサイズの分岐のための分岐条件を定義するための前記手段は、
（ｉ）前記サブブロックの前記第２のＳＡＤ値が第２の閾値バックグラウンド値よりも小さいこと、又は（ｉｉ）前記サブブロックの前記第２のＳＡＤ値が、前記第１のＳＡＤ値に少なくとも部分的に基づく上側同種閾値と下側同種閾値との間にあること
の満足を備えるように、第２の分岐のための前記分岐条件を定義するための手段と、
前記第１の分岐及び前記第２の分岐のための前記分岐条件の不満足を備えるように、第３の分岐のための前記分岐条件を定義するための手段と
を更に備える、請求項８に記載の装置。
【請求項１１】
ＣＵサイズの分岐のための分岐条件を定義するための前記手段は、
（ｉ）前記サブブロックの前記第２のＳＡＤ値が第２の閾値バックグラウンド値よりも小さいこと、又は（ｉｉ）前記サブブロックのサブサブブロックの前記第３のＳＡＤ値が、前記第２のＳＡＤ値に少なくとも部分的に基づく上側同種閾値と下側同種閾値との間にあること
の満足を備えるように、第２の分岐のための前記分岐条件を定義するための手段と、
前記第１の分岐及び前記第２の分岐のための前記分岐条件の不満足を備えるように、第３の分岐のための前記分岐条件を定義するための手段と
を更に備える、請求項８に記載の装置。
【請求項１２】
ＣＵサイズの分岐のための分岐条件を定義するための前記手段は、
前記第１の分岐のための前記分岐条件の不満足を備えるように、第２の分岐のための前記分岐条件を定義するための手段
を更に備える、請求項８に記載の装置。
【請求項１３】
前記ＣＵサイズの前記分岐に従って前記ＣＵサイズのサブセットを検査することに基づいて、最大コード化単位（ＬＣＵ）のための動的モード決定（ＤＭＤ）分岐を実施するための手段を更に備え、好ましくは、
（ｉ）前記ＬＣＵのための前記ＤＭＤ分岐に少なくとも部分的に基づいて、コード化ツリー単位（ＣＴＵ）のためのコード化モードを選択するための手段又は（ｉｉ）前記ＬＣＵのための前記ＤＭＤ分岐に少なくとも部分的に基づいて、動き推定を実施するための手段のうちの少なくとも１つを更に備え、および／または前記装置は、
前記分岐条件によって決定されたＣＵサイズに基づいて、コード化モードを使用して符号化ビデオデータを送信するように構成された送信機
をさらに備えるワイヤレス通信装置であり、好ましくは、
前記ワイヤレス通信装置は、セルラ電話であり、前記符号化ビデオデータが、前記送信機によって送信され、セルラ通信規格に従って変調される、請求項８に記載の装置。
【請求項１４】
実行されたとき、装置に、
コード化単位（ＣＵ）ブロックと参照フレーム中の第１の対応するブロックとの間の第１の絶対差分和（ＳＡＤ）値を計算することと、
前記第１のＳＡＤ値に少なくとも部分的に基づいて、ＣＵサイズの分岐のための分岐条件を定義することと、ここにおいて、前記分岐条件の第１の分岐条件が、バックグラウンド条件と同種条件との両方を備える、
前記ＣＵブロックの前記第１のＳＡＤ値が第１の閾値バックグラウンド値よりも小さいことに応答して、前記バックグラウンド条件を検出することと、
前記ＣＵブロックのサブブロックの第２のＳＡＤ値が、上側同種閾値と下側同種閾値との間にあることに応答して、前記同種条件を検出することと、前記上側同種閾値と前記下側同種閾値とが、前記ＣＵブロックの前記第１のＳＡＤ値に少なくとも部分的に基づき、前記第１のＳＡＤ値が、第１のサイズを有する第１のブロックに関連し、前記第２のＳＡＤ値が、前記第１のサイズよりも小さい第２のサイズを有する第２のブロックに関連する、
前記バックグラウンド条件又は前記同種条件の前記検出に基づいて、前記ＣＵサイズの前記分岐を決定することと、ここにおいて、前記バックグラウンド条件又は前記同種条件のいずれかが満たされる場合、前記第１の分岐条件が満たされる、
を備えるプロセスを実施させるコードを備える非一時的なコンピュータ可読媒体。
【請求項１５】
前記方法が、ワイヤレス通信装置上で実行可能であり、前記装置が、
ビデオデータを記憶するように構成されたメモリと、
前記メモリに記憶された前記ビデオデータを処理するための命令を実行するように構成されたプロセッサと、
前記分岐条件によって決定されたＣＵサイズに基づいて、コード化モードを使用して符号化ビデオデータを送信するように構成された送信機と
を備え、好ましくは、
前記ワイヤレス通信装置は、セルラ電話であり、前記符号化ビデオデータが、前記送信機によって送信され、セルラ通信規格に従って変調される、請求項１に記載の方法。